(57)【要約】【課題】【解決手段】可変長パンチ・アセンブリが開示される。本発明に係る可変長パンチ・アセンブリは、パンチ・アセンブリを受容し得る工具ホルダ（１０８）とラム軸心に沿い長手方向に移動し得るラム（１２０）とを含むパンチプレスと共に使用され得る。本発明に係る可変長パンチ・アセンブリは好適には、パンチプレスのラムにより打突され得る表面（１２８）を有する駆動本体アセンブリ（１２６）に対して螺着係合して配設されたパンチ本体アセンブリ（１２４）を含む。パンチ・アセンブリ（１０２）の長さは、一方の本体に対して他方の本体を回転することで調節され得る。上記可変長パンチ・アセンブリは好適には、上記駆動本体アセンブリに対する上記パンチ本体アセンブリの回転を選択的に防止するロック機構（１５０）を含む。上記ロック機構は好適には、上記各本体の一方に連結されたロック・シャフト（１３４）と、当該ロック・キー（１４８）がロック・キー経路に沿い摺動する如く上記各本体の他方に摺動的に連結されたロック・キー（１４８）とを備える。ロック・キー経路（１５２）は好適には、上記パンチ・アセンブリが工具ホルダにより受容されたときにラム軸心（１２２）に対して所定角度にて配設される。【選択図】図１
2004529779.tif 000002
【特許請求の範囲】
【請求項１】
ラムを有するパンチプレスと共に用いられる可変長パンチ・アセンブリであって、
上記パンチプレスの上記ラムにより打突され得る打突表面を有する駆動本体アセンブリに対して螺着係合されたパンチ本体アセンブリであって、当該可変長パンチ・アセンブリの長さは一方の本体に対する他方の本体の回転に応じて調節可能である、パンチ本体アセンブリと、
上記駆動本体アセンブリに対する上記パンチ本体アセンブリの回転を選択的に防止するロック機構とを備え、
上記ロック機構は、上記各本体の一方に連結されたロック・シャフトと、当該ロック・キーがロック・キー経路に沿い摺動する如く上記各本体の他方に摺動的に連結されたロック・キーとを備え、
上記ロック・キー経路は当該可変長パンチ・アセンブリの長手軸心に対して所定角度にて配設される、
可変長パンチ・アセンブリ。
【請求項２】
前記ロック・キー経路と前記パンチ本体アセンブリの前記長手軸心との間の前記角度は直角である、請求項１記載の可変長パンチ・アセンブリ。
【請求項３】
前記ロック・キー経路と前記パンチ本体アセンブリの前記長手軸心との間の前記角度は鋭角である、請求項１記載の可変長パンチ・アセンブリ。
【請求項４】
前記ロック・キー経路は前記駆動本体アセンブリの打突表面に対して概略的に平行である、請求項１記載の可変長パンチ・アセンブリ。
【請求項５】
前記ロック・キーは、該ロック・キーが前記ロック・シャフトに係合する第１位置と該ロック・キーが上記ロック・シャフトから離脱する第２位置との間で移動可能である、請求項１記載の可変長パンチ・アセンブリ。
【請求項６】
前記ロック・キーを前記第１位置に向けて付勢する手段を更に含む、請求項５記載の可変長パンチ・アセンブリ。
【請求項７】
前記ロック・キーを前記第１位置に向けて付勢する前記手段は、前記ロック・キーに着座する第１端部と前記各本体の一方に着座する第２端部とを有するスプリングから成る、請求項６記載の可変長パンチ・アセンブリ。
【請求項８】
前記ロック・シャフトは前記ロック・キーに対して第１軸心方向自由度を有する、請求項１記載の可変長パンチ・アセンブリ。
【請求項９】
前記第１軸心方向自由度は当該パンチ・アセンブリの前記長手軸心に対して概略的に平行である、請求項８記載の可変長パンチ・アセンブリ。
【請求項１０】
前記ロック・キーは前記ロック・シャフトを受容し得る開口を含む、請求項１記載の可変長パンチ・アセンブリ。
【請求項１１】
前記開口は前記ロック・キーのシャフト係合部分により部分的に画成される、請求項１０記載の可変長パンチ・アセンブリ。
【請求項１２】
前記ロック・キーの前記シャフト係合部分は少なくとも一個の歯部を含む、請求項１１記載の可変長パンチ・アセンブリ。
【請求項１３】
前記ロック・キーの前記シャフト係合部分は少なくとも一個の平坦部を含む、請求項１１記載の可変長パンチ・アセンブリ。
【請求項１４】
前記シャフトは前記ロック・キーにより画成された開口内に配設される、請求項１１記載の可変長パンチ・アセンブリ。
【請求項１５】
前記ロック・キーは、該ロック・キーの前記係合部分が前記ロック・シャフトに係合する第１位置と該ロック・キーの上記係合部分が上記ロック・シャフトから離脱する第２位置との間で移動可能である、請求項１４記載の可変長パンチ・アセンブリ。
【請求項１６】
前記ロック・シャフトは少なくとも一個の歯部を含む、請求項１記載の可変長パンチ・アセンブリ。
【請求項１７】
前記ロック・シャフトは少なくとも一個の平坦部を含む、請求項１記載の可変長パンチ・アセンブリ。
【請求項１８】
当該可変長パンチ・アセンブリを受容し得る工具ホルダと、ラム軸心に沿い長手方向に移動し得るラムとを含むパンチプレスと共に用いられる可変長パンチ・アセンブリであって、
上記パンチプレスの上記ラムにより打突され得る表面を有する駆動本体アセンブリに対して螺着係合して配設されたパンチ本体アセンブリであって、当該可変長パンチ・アセンブリの長さは一方の本体に対する他方の本体の回転に応じて調節可能である、パンチ本体アセンブリと、
上記駆動本体アセンブリに対する上記パンチ本体アセンブリの回転を選択的に防止するロック機構とを備え、
上記ロック機構は、上記各本体の一方に連結されたロック・シャフトと、当該ロック・キーがロック・キー経路に沿い摺動する如く上記各本体の他方に摺動的に連結されたロック・キーとを備え、
上記ロック・キー経路は当該可変長パンチ・アセンブリが上記工具ホルダにより受容されたときに上記ラム軸心に対して所定角度にて配設される、
可変長パンチ・アセンブリ。
【請求項１９】
前記ロック・キー経路と前記パンチ本体アセンブリの前記ラム軸心との間の前記角度は直角である、請求項１８記載の可変長パンチ・アセンブリ。
【請求項２０】
前記ロック・キー経路と前記パンチ本体アセンブリの前記ラム軸心との間の前記角度は鋭角である、請求項１８記載の可変長パンチ・アセンブリ。
【請求項２１】
当該可変長パンチ・アセンブリが前記工具ホルダにより受容されたときに前記駆動本体アセンブリの前記打突表面は前記ラム軸心に対して概略的に直交する、請求項１８記載の可変長パンチ・アセンブリ。
【請求項２２】
前記ロック・キーは、該ロック・キーが前記ロック・シャフトに係合する第１位置と該ロック・キーが上記ロック・シャフトから離脱する第２位置との間で移動可能である、請求項１８記載の可変長パンチ・アセンブリ。
【請求項２３】
前記ロック・キーを前記第１位置に向けて付勢する手段を更に含む、請求項２２記載の可変長パンチ・アセンブリ。
【請求項２４】
前記ロック・キーを前記第１位置に向けて付勢する前記手段は、前記ロック・キーに着座する第１端部と前記各本体の一方に着座する第２端部とを有するスプリングから成る、請求項２３記載の可変長パンチ・アセンブリ。
【請求項２５】
前記ロック・シャフトは前記ロック・シャフトに対して第１軸心方向自由度を有する、請求項１記載の可変長パンチ・アセンブリ。
【請求項２６】
当該可変長パンチ・アセンブリが前記工具ホルダにより受容されたときに前記第１軸心方向自由度は前記ラム軸心に対して概略的に平行である、請求項２５記載の可変長パンチ・アセンブリ。
【請求項２７】
ラムを有するパンチプレスと共に用いられる可変長パンチ・アセンブリであって、
パンチ・チップと、上記パンチプレスの上記ラムにより打突され得る表面を有するパンチ駆動器と、
上記パンチ駆動器と上記パンチ・チップとの間の螺着継手であって、当該可変長パンチ・アセンブリの長さは上記螺着継手の螺着もしくは螺着解除に応じて軸心方向に調節可能である、螺着継手と、
上記螺着継手を螺着もしくは螺着解除すべく、相互に回転可能な第１および第２要素とを備え、
上記第１要素はスプライン付きシャフトを有し、且つ、
上記第２要素は、当該操作部材の非軸心方向移動に応じて上記スプライン付きシャフトに係合しまたは該スプライン付きシャフトから離脱することで上記第１および第２要素間の相対回転を許容しまたは防止すべく移動可能な操作部材および歯付表面を有する、
可変長パンチ・アセンブリ。
【請求項２８】
前記第１要素の前記歯付表面を前記スプライン付きシャフトとの係合に向けて付勢することで前記第１および第２要素間の相対回転を防止するスプリング機構を更に含む、請求項２７記載の可変長パンチ・アセンブリ。
【請求項２９】
前記第２要素は前記スプライン付きシャフトが貫通受容される開口を含み、
該開口は、前記歯付表面を含む周縁部であって、前記操作部材の移動時に上記歯付表面が上記スプライン付きシャフトから離脱し得るべく形状化された周縁部を有する、請求項２７記載の可変長パンチ・アセンブリ。
【請求項３０】
前記操作部材は、当該可変長パンチ・アセンブリの軸心に向けて軸心方向移動することで前記スプライン付きシャフトから前記歯付表面を離脱させ得る外部アクセス可能な押しボタンを含む、請求項２７記載の可変長パンチ・アセンブリ。
【発明の詳細な説明】
【技術分野】
【０００１】
本発明は概略的に、金属加工工具に関する。より詳細には、本発明はパンチプレスで用いられるパンチ・アセンブリに関する。
【背景技術】
【０００２】
シートメタルは、電気製品および電気装置に対する筐体などの広範囲で有用な製品へと安価に加工され得る。シートメタルを加工する上では、タレット型パンチプレス（ｔｕｒｒｅｔ−ｔｙｐｅ  ｐｕｎｃｈ  ｐｒｅｓｓ）が普及してきた。タレット型パンチプレスは、概略的に円筒状である当該上側タレットの周縁部の回りで円周方向に離間された一連のパンチ工具を保持する上側タレットと、当該第２の下側タレットの周縁部の回りで円周方向に離間された一連のダイを保持する第２の下側タレットとを使用し、各タレットは適切なパンチおよびダイの対を加工位置にて垂直整列させるべく垂直軸心の回りで回動可能である。２つのタレットを適切に回転することにより、操作者は所定数のパンチおよびダイを上記加工位置にて順次に整列させることで被加工物に対する一連の順次的な種々のパンチ操作を実施し得る。
【０００３】
パンチプレス操作においてパンチ・アセンブリを反復して用いると、パンチ・チップ（ｐｕｎｃｈ  ｔｉｐ）は自然に鈍化して摩耗する結果となる。チップが一旦鈍化すると、パンチ・アセンブリの実効性は低下すると共に、パンチ・チップは鋭角化されねばならない。この鋭角化はパンチ・チップの端部を研磨することで達成され得るが、パンチの長さは短寸化される結果となる。その場合にパンチの長さは、研磨除去された部分を補償すべく調節され得る。
【０００４】
上記パンチ・アセンブリの長手軸心は典型的に、ラム（ｒａｍ）の軸心と同軸整列で載置される。その場合、上記パンチプレスのラムは大きな力によりパンチの衝撃表面を打突する。
【発明の開示】
【課題を解決するための手段】
【０００５】
本発明は概略的に、金属加工工具に関する。より詳細には、本発明はパンチプレスで用いられるパンチ・アセンブリに関する。本発明に係る可変長パンチ・アセンブリは、パンチ・アセンブリを受容し得る工具ホルダとラム軸心に沿い長手方向に移動し得るラムとを含むパンチプレスと共に使用され得る。本発明に係る可変長パンチ・アセンブリは好適には、パンチプレスのラムにより打突され得る表面を有する駆動本体アセンブリに対して螺着係合して配設されたパンチ本体アセンブリを含む。パンチ・アセンブリの長さは、一方の本体に対して他方の本体を回転することで調節され得る。上記可変長パンチ・アセンブリは好適には、上記駆動本体アセンブリに対する上記パンチ本体アセンブリの回転を選択的に防止するロック機構を含む。上記ロック機構は好適には、上記各本体の一方に連結されたロック・シャフトと、当該ロック・キーがロック・キー経路に沿い摺動する如く上記各本体の他方に摺動的に連結されたロック・キーとを特徴とする。ロック・キー経路は好適には、上記パンチ・アセンブリが工具ホルダにより受容されたときにラム軸心に対して所定角度にて配設される。
【０００６】
ひとつの実施形態において上記可変長パンチ・アセンブリは、上記各本体の一方に連結されたロック・シャフトと、当該ロック・キーがロック・キー経路に沿い摺動する如く上記各本体の他方に摺動的に連結されたロック・キーとを有するロック機構を特徴とする。上記ロック・キー経路は好適には、上記パンチ・アセンブリの長手軸心に対して所定角度にて配設され得る。上記パンチ・アセンブリがパンチプレスの上記工具ホルダにより受容されたとき、上記ロック・キー経路は好適には上記パンチプレスのラム軸心に対して所定角度にて配設される。
【０００７】
本発明の一定の実施形態において、上記ロック・キー経路と上記パンチ本体アセンブリの長手軸心との間の角度は直角である。他の実施形態において上記ロック・キー経路と上記パンチ本体アセンブリの長手軸心との間の角度は鋭角である。一定の実施形態において上記ロック・キー経路は、上記駆動本体アセンブリの上記打突表面に対して概略的に平行である。
【０００８】
本発明のひとつの見地において上記ロック・キーは、該ロック・キーが上記ロック・シャフトと係合する第１位置と該ロック・キーが上記ロック・シャフトから離脱する第２位置との間で移動可能である。上記可変長パンチ・アセンブリは好適には、上記キーを上記第１位置に向けて付勢する手段を含む。本発明のひとつの実施形態において上記キーを上記第１位置に向けて付勢する上記手段は、上記ロック・キーに着座された第１端部と上記各本体の一方に対して着座された第２端部とを有するスプリングから成る。
【０００９】
本発明のひとつの見地において上記ロック・シャフトは、上記ロック・キーに対して第１軸心方向自由度を有する。本発明の好適な実施形態において上記第１軸心方向自由度は、上記パンチ・アセンブリの長手軸心に対して概略的に平行である。
【００１０】
本発明のひとつの実施形態において上記ロック・キーは、上記ロック・シャフトを受容し得る開口を含む。上記開口は、上記ロック・キーのシャフト係合部分により部分的に画成され得る。一定の実施例において上記ロック・キーの上記シャフト係合部分は好適に、少なくとも一個の歯部を含む。他の実施例において上記ロック・キーの上記シャフト係合部分は好適に、少なくとも一個の平坦部を含む。
【発明を実施するための最良の形態】
【００１１】
以下の詳細な説明は、同一要素には夫々同一の参照番号が付された各図面を参照して読破されるべきである。必ずしも一定の縮尺でない各図面は選択された実施例を示しており、発明の有効範囲の限定を意図していない。また、構造、材料、寸法および製造プロセスの各例は、選択された要素に対して提供される。他の全ての要素は、当業者に公知のものが採用される。当業者であれば、提供された例の多くは利用可能で適切な代替物を有することを理解し得よう。
【００１２】
図１は、本発明の代表的実施例に係るパンチ設定アセンブリ１００の断面図である。パンチ設定アセンブリ１００は、スリーブ１０４と、該スリーブ１０４内に摺動的に配設された可変長パンチ・アセンブリ（ａｄｊｕｓｔａｂｌｅ  ｌｅｎｇｔｈ  ｐｕｎｃｈ  ａｓｓｅｍｂｌｙ）１０２とを含む。パンチ設定アセンブリ１００は、スリーブ１０４を受容し得る工具ホルダ１０８と、ラム軸心１２２に沿い長手方向に移動し得るラム１２０とを含むパンチプレスにおいて使用され得る。
【００１３】
図１の実施例において可変長パンチ・アセンブリ１０２は、上記パンチプレスのラム１２０により打突され得る打突表面１２８を有する駆動本体アセンブリ１２６に対して螺着係合して配設されたパンチ本体アセンブリ１２４を含む。可変長パンチ・アセンブリ１０２の長さは、パンチ本体アセンブリ１２４および駆動本体アセンブリ１２６を相互に対して回転することで調節され得る。
【００１４】
パンチ本体アセンブリ１２４は、パンチ・ブレード１３０、雄ネジ部材１３２およびロック・シャフト１３４を備える。図１に示された如く雄ネジ部材１３２は、パンチ・ブレード１３０の螺条付ボア内へと軸心方向に螺着された比較的に大寸の押えネジ１３６により、パンチ・ブレード１３０に対して取付けられる。同様に図１に示された如く、ロック・シャフト１３４は複数のピン１３８および保持リングにより雄ネジ部材１３２に取付けられる。
【００１５】
図１の駆動本体アセンブリ１２６は、駆動キャップ１４４および雌ネジ部材１４６を備える。図１の実施例において駆動キャップ１４４は複数の押えネジ１４０により雌ネジ部材１４６に対して取付けられるが、図１においては該押えネジのひとつが示される。図１においては、駆動本体アセンブリ１２６の雌ネジ部材１４６はパンチ本体アセンブリ１２４の雄ネジ部材１３２に対して螺着接触して配設されることが理解され得る。
【００１６】
前述の如く可変長パンチ・アセンブリ１０２の長さは、パンチ本体アセンブリ１２４および駆動本体アセンブリ１２６を相互に対して回転することで調節され得る。図１の実施例において可変長パンチ・アセンブリ１０２は、駆動本体アセンブリ１２６に対するパンチ本体アセンブリ１２４の回転を選択的に防止するロック機構１５０を含む。図１のロック機構１５０は、パンチ本体アセンブリ１２４のロック・シャフト１３４と、当該ロック・キー１４８がロック・キー経路１５２に沿い摺動する如く駆動本体アセンブリ１２６の駆動キャップ１４４に摺動的に係合するロック・キー１４８とを備える。
【００１７】
図１の実施例においてロック・キー１４８が取る経路は、駆動本体アセンブリ１２６の駆動キャップ１４４の案内面１５４により部分的に画成される。図１においてロック・キー経路１５２は、可変長パンチ・アセンブリ１０２の長手軸心１５６に対して角度Ａにて配設されることは理解され得る。図１においては、可変長パンチ・アセンブリ１０２が工具ホルダ１０８により受容されたときにロック・キー経路１５２はラム軸心１２２に対して角度Ｂにて配設されることも理解され得る。好適実施例において可変長パンチ・アセンブリ１０２およびラム１２０は、パンチを行う間に概略的に同軸的関係で配設される。
【００１８】
図１の実施例において、ロック・キー経路と長手軸心１５６との間の角度Ａおよびロック・キー経路１５２とラム軸心１２２との間の角度Ｂは両者ともに直角である。而して、角度Ａおよび角度Ｂが鋭角もしくは鈍角であるという本発明の実施例が可能である。図１の実施例において、ロック・キー経路１５２は駆動本体アセンブリ１２６の打突表面１２８と略平行であることが銘記され得る。
【００１９】
ロック・シャフト１３４は好適には、ロック・キー１４８に対して第１軸心方向自由度を有する。図１の実施例においてロック・シャフト１３４は、長手軸心１５６に沿いロック・キー１４８に対して自由に移動する。この軸心方向自由度によれば、可変長パンチ・アセンブリ１０２の長さが調節され得る。
【００２０】
パンチ設定アセンブリ１００は、複数の皿状ワッシャ１６０から成るスプリング・アセンブリ１５８も含む。スプリング・アセンブリ１５８の第１端部は、駆動本体アセンブリ１２６の駆動キャップ１４４に対して着座される。スプリング・アセンブリ１５８の第２端部は、スプリング支持リング１６２に対して着座される。而してスプリング支持リング１６２は、スリーブ１０４の棚部１６４に対して着座される。
【００２１】
パンチ操作の間においてラム１２０は駆動本体アセンブリ１２６の打突表面１２８を下方へと打突することから、パンチ・ブレード１３０がパンチ設定アセンブリ１００のストリッパ・プレート１６８の下面１６６の下方に突出するまで、スプリング・アセンブリ１５８は圧縮され且つ可変長パンチ・アセンブリ１０２は下方へ付勢される。突出されたパンチ・ブレード１３０は（不図示の）被加工物を貫通することで、該被加工物から所望形状の部品を打ち出す。パンチ設定アセンブリ１００は、被加工物から抜き出されることが望まれる形状に依存し、種々のパンチ・ブレード形状および整合ストリッパ・プレートに適合され得る。
【００２２】
その後にラム１２０は縮動され、スプリング・アセンブリ１５８に対する圧縮力が解除され得る。そのときにスプリング・アセンブリ１５８は、パンチ・ブレード１３０を引き上げるべく作用し得る。パンチ・ブレード１３０がストリッパ・プレート１６８を貫通して上方へと縮動されるとき、該パンチ・ブレード１３０の側部は後退する該ブレードに付着することの多い被加工物と噛み合うこともある。しかしストリッパ・プレート１６８は被加工物の頂面に係合することで、パンチ・ブレード１３０からの被加工物の分離を支援する。
【００２３】
パンチプレス操作においてパンチ・ブレードを反復して用いると、パンチ・ブレードは自然に鈍化して摩耗する結果となる。パンチ・ブレードが一旦鈍化すると、パンチ・アセンブリの実効性は低下すると共に、パンチ・ブレードは鋭角化されねばならない。この鋭角化はパンチ・チップの端部を研磨することで達成され得るが、パンチ・ブレードの長さは短寸化される結果となる。その場合にパンチ・アセンブリの長さは、パンチ・ブレードの研磨除去部分を補償すべく調節され得る。
【００２４】
概略的に、パンチ・ブレード１３０の鋭角化が所望されたとき、操作者はたとえば大寸押えネジ１３６を緩めることでパンチ・ブレード１３０をパンチ設定アセンブリ１００から取り外す。次にパンチ・ブレード１３０は鋭角化もしくは交換され得る。パンチ・ブレード１３０を交換もしくは鋭角化した後、パンチ本体アセンブリ１２４および駆動本体アセンブリ１２６を相互に関して回転することで、可変長パンチ・アセンブリ１０２の全長の適切な変更が為され得る。ロック機構１５０のロック・キー１４８は選択的にロック・シャフト１３４に係合することで、可変長パンチ・アセンブリ１０２の長さの偶発的変動を防止する。ロック・キー１４８のロック・キー経路１５２がラム軸心１２２に対して所定角度にて配設されたとき、可変長パンチ・アセンブリ１０２を打突するラム１２０の力に起因して長さの変化が生ずる可能性は減少される。
【００２５】
図２は、図１のパンチ設定アセンブリ１００の拡大平面図である。図２においては、ロック・シャフト１３４が複数の歯部１７０を含むことが理解され得る。図２においては、ロック・キー１４８がロック・シャフト１３４を受容し得る開口１７４を含むことも理解され得る。ロック・キー１４８は好適には、該ロック・キー１４８がロック・シャフト１３４に係合する第１位置と、該ロック・キーがロック・シャフト１３４から離脱する第２位置との間で移動可能である。図２の実施例において、ロック・キー１４８は上記第１位置で示される。
【００２６】
パンチ設定アセンブリ１００の可変長パンチ・アセンブリ１０２は好適には、ロック・キー１４８を上記第１位置に向けて付勢する機構を含む。図２の実施例において可変長パンチ・アセンブリ１０２は、ロック・キー１４８の第１座面１７８に着座された第１端部と、駆動本体アセンブリ１２６の駆動キャップ１４４の第２座面１８０に着座された第２端部とを有するスプリング１７６を含む。スプリング１７６は好適には、ロック・キー１４８を上記第１位置に向けて付勢する。
【００２７】
図３は、図１および図２のパンチ設定アセンブリ１００の付加的な拡大平面図である。前述の如くロック・キー１４８は好適には、該ロック・キー１４８がロック・シャフト１３４に係合する第１位置と該ロック・キー１４８がロック・シャフト１３４から離脱する第２位置との間で移動可能である。図３の実施例においては、ロック・キー１４８に作用して該キーを上記第２位置に向けて付勢する力Ｆが示される。
【００２８】
図３においては、ロック・キー１４８の開口１７４が該ロック・キー１４８のシャフト係合部分１８２により部分的に画成されることが理解され得る。図３の実施例においてロック・キー１４８のシャフト係合部分１８２は、複数の協働歯部１７２を含む。協働歯部１７２は好適には、ロック・シャフト１３４の歯部１７０と相互噛合すべく構成される。本発明の精神および有効範囲から逸脱せずに、シャフト係合部分１８２の他の実施例が可能であることを理解すべきである。
【００２９】
図４は、可変長パンチ・アセンブリ１０２のロック・シャフト１３４の斜視図である。図４においては、ロック・シャフト１３４が複数の孔１８４を含むことが理解され得る。孔１８４は好適には、パンチ本体アセンブリ１２４の雄ネジ部材１３２に対してロック・シャフト１３４を取付けるネジ、ピンまたは他の留め具を受け入れ得る。図４には、ロック・シャフト１３４の歯部１７０も示される。
【００３０】
図５は、本発明の付加的実施例に係る可変長パンチ・アセンブリ２０２の平面図である。図５の可変長パンチ・アセンブリ２０２は、駆動キャップ２４４を含む駆動本体アセンブリ２２６およびロック・シャフト２３４を含むパンチ本体アセンブリ２２４を備える。パンチ本体アセンブリ２２４のロック・シャフト２３４は、複数の平坦部２８６を有する。先の実施例と同様にパンチ本体アセンブリ２２４は好適には、駆動本体アセンブリ２２６に対して螺着係合して配設される。可変長パンチ・アセンブリ２０２の長さは、パンチ本体アセンブリ２２４および駆動本体アセンブリ２２６を相互に対して回転することで調節され得る。
【００３１】
図５の実施例においてパンチ本体アセンブリ２２４のロック・シャフト２３４、および、ロック・キー２４８は、駆動本体アセンブリ２２６に対するパンチ本体アセンブリ２２４の回転を選択的に防止するロック機構２５０の一部を形成する。ロック・キー２４８は、該ロック・キー２４８がロック・キー経路に沿い摺動する如く駆動本体アセンブリ２２６の駆動キャップ２４４に摺動的に係合する。図５においては、ロック・キー２４８がロック・シャフト２３４を受容し得る開口２７４を含むことが理解され得る。ロック・キー２４８は好適には、該ロック・キー２４８がロック・シャフト２３４に係合する第１位置と該ロック・キーがロック・シャフト２３４から離脱する第２位置との間で移動可能である。図５の実施例においてロック・キー２４８は、上記第１位置において示される。
【００３２】
可変長パンチ・アセンブリ２０２は好適には、ロック・キー２４８を上記第１位置に向けて付勢する機構を含む。図５の実施例において可変長パンチ・アセンブリ２０２は、ロック・キー２４８の第１座面２７８に着座された第１端部と駆動本体アセンブリ２２６の駆動キャップ２４４の第２座面２８０に着座された第２端部とを有するスプリング２７６を含む。
【００３３】
図６は、図５の可変長パンチ・アセンブリ２０２の付加的な拡大平面図である。前述の如くロック・キー２４８は好適には、該ロック・キー２４８がロック・シャフト２３４に係合する第１位置と該ロック・キーがロック・シャフト２３４から離脱する第２位置との間で移動可能である。図６の実施例においては、ロック・キー２４８に作用して該ロック・キーを上記第２位置に向けて付勢する力Ｆが示される。
【００３４】
図６においては、ロック・キー２４８の開口２７４が該ロック・キー２４８のシャフト係合部分２８２により部分的に画成されることが理解され得る。図５の実施例においてロック・キー２４８のシャフト係合部分２８２は、複数の協働平坦部２８８を含む。図５の実施例においても、協働平坦部２８８はロック・シャフト２３４の平坦部２８６と実質的に同様のサイズおよび形状である。
【００３５】
図７は、本発明の付加的な代表的実施例に係るパンチ設定アセンブリ３００の断面図である。パンチ設定アセンブリ３００は、スリーブ３０４と、該スリーブ３０４内に摺動的に配設された可変長パンチ・アセンブリ３０２とを含む。図７の実施例において可変長パンチ・アセンブリ３０２は、パンチプレスのラムにより打突され得る打突表面３２８を有する駆動本体アセンブリ３２６に対して螺着係合して配設されたパンチ本体アセンブリ３２４を含む。
【００３６】
パンチ本体アセンブリ３２４は、パンチ・ブレード３３０、雄ネジ部材３３２およびロック・シャフト３３４を備える。図７に示された如く雄ネジ部材３３２は、パンチ・ブレード３３０の螺条付ボア内に軸心方向に螺着された比較的に大寸の押えネジ３３６によりパンチ・ブレード３３０に対して取付けられる。これもまた図７に示された如く、ロック・シャフト３３４は複数のネジ３３８により雄ネジ部材３３２に取付けられる。
【００３７】
図７の駆動本体アセンブリ３２６は、駆動キャップ３４４および雌ネジ部材３４６を備える。図７の実施例において駆動キャップ３４４は複数の押えネジ３４０により雌ネジ部材３４６に取付けられるが、図７においては該押えネジのひとつが示される。図７においては、駆動本体アセンブリ３２６の雌ネジ部材３４６がパンチ本体アセンブリ３２４の雄ネジ部材３３２に対して螺着接触されて配設されることが理解され得る。
【００３８】
パンチ設定アセンブリ３００は、複数の皿状ワッシャ３６０から成るスプリング・アセンブリ３５８も含む。スプリング・アセンブリ３５８の第１端部は、駆動本体アセンブリ３２６の駆動キャップ３４４に着座される。スプリング・アセンブリ３５８の第２端部は、スプリング支持リング３６２に着座される。而してスプリング支持リング３６２は、スリーブ３０４の棚部３６４に着座される。
【００３９】
可変長パンチ・アセンブリ３０２の長さは、パンチ本体アセンブリ３２４および駆動本体アセンブリ３２６を相互に対して回転することで調節され得る。図７の実施例において可変長パンチ・アセンブリ３０２は、駆動本体アセンブリ３２６に対するパンチ本体アセンブリ３２４の回転を選択的に防止するロック機構３５０を含む。図７のロック機構３５０は、パンチ本体アセンブリ３２４のロック・シャフト３３４と、当該ロック・キー３４８がロック・キー経路３５２に沿い摺動する如く駆動本体アセンブリ３２６の駆動キャップ３４４に摺動的に係合するロック・キー３４８とを備える。
【００４０】
図７の実施例においてロック・キー３４８が取る経路は、駆動本体アセンブリ３２６の駆動キャップ３４４の案内面３５４により部分的に画成される。図７においては、ロック・キー経路３５２が可変長パンチ・アセンブリ３０２の長手軸心３５６に対して角度Ｃにて配設されることが理解され得る。図７の実施例において、ロック・キー経路３５２と長手軸心３５６との間の角度Ｃは鋭角である。
【００４１】
発明の幾つかの形態が図示かつ記述されたが、当業者であれば他の形態は今や明らかであろう。図示されて上述された各実施例は例示目的に過ぎず、添付の各請求項に定義された発明の有効範囲の制限を意図しないことは理解される。
【図面の簡単な説明】
【００４２】
【図１】本発明の代表的実施例に係るパンチ設定アセンブリの断面図である。
【図２】図１のパンチ設定アセンブリの拡大平面図である。
【図３】図１および図２のパンチ設定アセンブリの付加的な拡大平面図である。
【図４】図１、図２および図３の可変長パンチ・アセンブリのロック・シャフトの斜視図である。
【図５】本発明の付加的実施例に係る可変長パンチ・アセンブリの平面図である。
【図６】図５の可変長パンチ・アセンブリの付加的な平面図である。
【図７】本発明の付加的な代表的実施例に係るパンチ設定アセンブリの断面図である。
【国際公開パンフレット】
2004529779.tif 000003
2004529779.tif 000004
2004529779.tif 000005
2004529779.tif 000006
2004529779.tif 000007
2004529779.tif 000008
2004529779.tif 000009
2004529779.tif 000010
2004529779.tif 000011
2004529779.tif 000012
2004529779.tif 000013
2004529779.tif 000014
2004529779.tif 000015
2004529779.tif 000016
2004529779.tif 000017
2004529779.tif 000018
2004529779.tif 000019
2004529779.tif 000020
2004529779.tif 000021
2004529779.tif 000022
【国際調査報告】
2004529779.tif 000023
2004529779.tif 000024
2004529779.tif 000025
2004529779.tif 000026
2004529779.tif 000027